(57)【要約】【課題】操作者が配置位置を指定することなく、好ましい配置でコンテンツのレイアウト出力を可能とすることを目的とする。【解決手段】コンテンツの配置情報を定義するテンプレートを選択するテンプレート選択手段と、テンプレート選択手段で選択されたテンプレートと、コンテンツと、に基づいて、コンテンツをテンプレートで定義された配置情報で示される配置位置に配置し、文書を生成するレイアウト手段と、ユーザ操作に基づいて、レイアウト手段で生成された文書に含まれるコンテンツの配置情報を変更する編集手段と、編集手段で配置情報が変更された場合、コンテンツと、配置情報と、コンテンツが適用された又は変更された頻度を表す頻度情報と、を関連付けてレイアウト学習データとして記憶装置に記憶する記憶手段と、を有することによって課題を解決する。【選択図】図７
2010086315.tif 000002
【特許請求の範囲】
【請求項１】
コンテンツの配置情報を定義するテンプレートを選択するテンプレート選択手段と、
前記テンプレート選択手段で選択された前記テンプレートと、コンテンツと、に基づいて、前記コンテンツを前記テンプレートで定義された配置情報で示される配置位置に配置し、文書を生成するレイアウト手段と、
ユーザ操作に基づいて、前記レイアウト手段で生成された文書に含まれるコンテンツの前記配置情報を変更する編集手段と、
前記編集手段で前記配置情報が変更された場合、前記コンテンツと、前記配置情報と、前記コンテンツが適用された又は変更された頻度を表す頻度情報と、を関連付けてレイアウト学習データとして記憶装置に記憶する記憶手段と、
を有することを特徴とする情報処理装置。
【請求項２】
前記テンプレート選択手段は、処理対象のコンテンツに関する前記レイアウト学習データが前記記憶装置に記憶されているか否かを判定し、処理対象のコンテンツに関する前記レイアウト学習データが前記記憶装置に記憶されている場合、テンプレートごとのテンプレートスコア値に、前記レイアウト学習データの前記頻度情報を加算し、前記テンプレートスコア値に基づき、テンプレートを選択することを特徴とする請求項１に記載の情報処理装置。
【請求項３】
前記記憶手段は、前記編集手段で前記配置情報が変更された場合、変更前の配置情報に対応する頻度情報を負の値で、変更後の配置情報に対応する頻度情報を正の値でレイアウト学習データに登録し、前記記憶装置に記憶することを特徴とする請求項１又は２に記載の情報処理装置。
【請求項４】
情報処理装置における情報処理方法であって、
コンテンツの配置情報を定義するテンプレートを選択するテンプレート選択ステップと、
前記テンプレート選択ステップで選択された前記テンプレートと、コンテンツと、に基づいて、前記コンテンツを前記テンプレートで定義された配置情報で示される配置位置に配置し、文書を生成するレイアウトステップと、
ユーザ操作に基づいて、前記レイアウトステップで生成された文書に含まれるコンテンツの前記配置情報を変更する編集ステップと、
前記編集ステップで前記配置情報が変更された場合、前記コンテンツと、前記配置情報と、前記コンテンツが適用された又は変更された頻度を表す頻度情報と、を関連付けてレイアウト学習データとして記憶装置に記憶する記憶ステップと、
を有することを特徴とする情報処理方法。
【請求項５】
前記テンプレート選択ステップでは、処理対象のコンテンツに関する前記レイアウト学習データが前記記憶装置に記憶されているか否かを判定し、処理対象のコンテンツに関する前記レイアウト学習データが前記記憶装置に記憶されている場合、テンプレートごとのテンプレートスコア値に、前記レイアウト学習データの前記頻度情報を加算し、前記テンプレートスコア値に基づき、テンプレートを選択することを特徴とする請求項４に記載の情報処理方法。
【請求項６】
前記記憶ステップでは、前記編集ステップで前記配置情報が変更された場合、変更前の配置情報に対応する頻度情報を負の値で、変更後の配置情報に対応する頻度情報を正の値でレイアウト学習データに登録し、前記記憶装置に記憶することを特徴とする請求項４又は５に記載の情報処理方法。
【請求項７】
コンピュータを、
コンテンツの配置情報を定義するテンプレートを選択するテンプレート選択手段と、
前記テンプレート選択手段で選択された前記テンプレートと、コンテンツと、に基づいて、前記コンテンツを前記テンプレートで定義された配置情報で示される配置位置に配置し、文書を生成するレイアウト手段と、
ユーザ操作に基づいて、前記レイアウト手段で生成された文書に含まれるコンテンツの前記配置情報を変更する編集手段と、
前記編集手段で前記配置情報が変更された場合、前記コンテンツと、前記配置情報と、前記コンテンツが適用された又は変更された頻度を表す頻度情報と、を関連付けてレイアウト学習データとして記憶装置に記憶する記憶手段と、
して機能させることを特徴とするプログラム。
【請求項８】
請求項７に記載のプログラムを記憶したコンピュータにより読み取り可能な記憶媒体。
【発明の詳細な説明】
【技術分野】
【０００１】
本発明は、情報処理装置及び情報処理方法に関する。
【背景技術】
【０００２】
従来、オペレータがコンピュータを用いて文書素材データをレイアウトするＤＴＰ（デスクトップパブリッシング）等のレイアウト編集アプリケーションが用いられてきた。このようなレイアウト編集アプリケーションでは予めレイアウトテンプレートを用意しておき、テンプレートに素材のデータを当てはめることで簡易に文書生成する方法も用意されている。更に、素材のデータのレイアウトをオペレータが人力で行うのではなく、コンピュータプログラムによって自動的に配置するシステムも提案されている。
【０００３】
特許文献１によれば、スキャンした文書に広告やロゴ等のスポンサー提供の画像等を付加してコピーする画像処理装置による文書生成方法が考案されている。また、ロゴ印刷モードを持ち、操作者がユーザインタフェースによりカスタムロゴ画像を配置する原稿の範囲を指定することにより、スキャンされた原稿とロゴ画像とを重ね合わせて出力する装置も考案されている（特許文献２参照。）。
【０００４】
【特許文献１】特開２００６−３３１４２７号公報
【特許文献２】特開平６−１６４８９４号公報
【発明の開示】
【発明が解決しようとする課題】
【０００５】
しかしながら、前述した特許文献１或いは特許文献２の何れも、個々の画像ごとにどこに配置してページ画像を構成するか操作者が明示的に指示する必要があり、画像ごとに最適な配置位置を決定して画像出力することができないという問題があった。
【０００６】
本発明はこのような問題点に鑑みなされたもので、操作者が配置位置を指定することなく、好ましい配置でコンテンツのレイアウト出力を可能とすることを目的とする。
【課題を解決するための手段】
【０００７】
そこで、本発明は、コンテンツの配置情報を定義するテンプレートを選択するテンプレート選択手段と、前記テンプレート選択手段で選択された前記テンプレートと、コンテンツと、に基づいて、前記コンテンツを前記テンプレートで定義された配置情報で示される配置位置に配置し、文書を生成するレイアウト手段と、ユーザ操作に基づいて、前記レイアウト手段で生成された文書に含まれるコンテンツの前記配置情報を変更する編集手段と、前記編集手段で前記配置情報が変更された場合、前記コンテンツと、前記配置情報と、前記コンテンツが適用された又は変更された頻度を表す頻度情報と、を関連付けてレイアウト学習データとして記憶装置に記憶する記憶手段と、を有することを特徴とする。
【０００８】
また、本発明は、情報処理方法、プログラム及び記憶媒体としてもよい。
【発明の効果】
【０００９】
本発明によれば、操作者が配置位置を指定することなく、好ましい配置でコンテンツのレイアウト出力を可能とすることができる。
【発明を実施するための最良の形態】
【００１０】
以下、本発明の実施形態について図面に基づいて説明する。
【００１１】
＜実施形態１＞
図１は、情報処理装置（コンピュータ）のハードウェア構成の一例を示す図である。図１において、ＣＰＵ１１は、情報処理装置の各種制御を実行する。ＲＯＭ１２は、本装置の立ち上げ時に実行されるブートプログラムや各種データを格納する。ＲＡＭ１３は、ＣＰＵ１１によって実行される制御プログラムを格納すると共に、ＣＰＵ１１が各種制御を実行する際の作業領域を提供する。キーボード１４及びマウス１５は、ユーザによる各種入力操作環境を提供する。
【００１２】
外部記憶装置１６は、ハードディスク、光ディスク、磁気ディスク、光磁気ディスク、磁気テープ等で構成される。但し、外部記憶装置１６は、制御プログラムや各種データを全てＲＯＭ１２に持つようにすれば、必ずしも必要な構成要素ではない。表示器１７は、ディスプレイ等で構成され、処理結果等をユーザに対して表示する。ネットワークインターフェース（ＮＩＣ）１８は、ネットワーク上の他の装置とＬＡＮケーブル等を介した通信を可能とする。また、バス１９は、上記各構成を接続する。
ＣＰＵ１１が、ＲＯＭ１２又は外部記憶装置１６に記憶されているプログラムに基づき、処理を実行することにより、後述する情報処理装置の機能及び／又はフローチャートの各処理が実現される。
【００１３】
図２は、情報処理装置の機能構成の一例を示す図である。
文書素材入力部１０１は、文書素材データ格納部１０２に蓄積されたコンテンツの一例である画像やテキスト情報を文書素材としてレイアウト部１０４に指定する。文書テンプレート格納部１０３は、ページレイアウトを記述した文書レイアウトテンプレート情報（以下、文書テンプレートという）を格納する。レイアウト部１０４は、文書素材入力部１０１により入力指定された文書素材データを文書テンプレート格納部１０３に格納された文書テンプレートを参照して、レイアウト処理を行う。また、レイアウト部１０４は、ユーザ操作等に基づき、レイアウト処理の結果に対して編集を行い、出力部１０６に出力可能な文書データを生成する。レイアウト学習部１０５は、レイアウト部１０４でレイアウト編集が行われたとき、編集結果を学習データとしてレイアウト学習データ格納部１０７に記憶する処理を行う。
【００１４】
図３は、文書テンプレートの一例を示す図である。
図３の（ａ）は、１つの背景写真枠２０１、２つの写真枠２０２、２０３、１つのテキスト枠２０４から構成されるテンプレートである。図３の（ｂ）は図３の（ａ）と同じテンプレートグループに属する別のテンプレートの例である。図３の（ｂ）は図３の（ａ）と同様に１つの背景写真枠２０５、２つの写真枠２０６、２０７、１つのテキスト枠２０８から構成され、枠の配置位置が図３の（ａ）と同じであるが、写真枠２０６、２０７の枠形状が図３の（ａ）と異なっている。図３の（ｃ）は図３の（ａ）及び図３の（ｂ）と異なるグループに属する別のテンプレートの例である。図３の（ｃ）においては、３つの写真枠２０９、２１０、２１１と１つのテキスト枠２１２とから構成されており、図３の（ａ）及び図３の（ｂ）と異なるレイアウトを呈している。
【００１５】
図４は、レイアウト編集の一例を示す図である。
図４の（ａ）はレイアウト編集前のレイアウトを示している。図４の（ａ）において、文書素材として入力された写真１、写真２、写真３が図３の（ａ）に図示されるテンプレートに適用され、図３の（ａ）中の写真枠２０１、２０２、２０３に対応している。
図４の（ｂ）は図４の（ａ）に対するレイアウト編集後のレイアウト結果を示している。図４の（ｂ）では、図４の（ａ）に比べて、写真１と写真３との入れ替えが行われており、結果として写真１は写真枠２０１から２０３に、写真３は写真枠２０３から２０１に変更されている。
【００１６】
図５は、文書テンプレートの一例を示す図である。
図５の（ａ）において＜ｐａｇｅ＞要素は文書テンプレートのページレイアウトを定義する要素であり、以下の４つの属性を有する。ｔｅｍｐｌａｔｅＩＤ属性は、テンプレート定義を一意化する固有の識別子である。ｇｒｏｕｐ属性は、テンプレートの属するグループ識別子を格納する。ｓｉｚｅ属性は、ページサイズを指定する。ｏｒｉｅｎｔａｔｉｏｎ属性は、ページの配置方向を指定する。
次に枠情報の一例である＜ｂｇ＞要素は、文書テンプレートの背景画像の配置を定義するレイアウト要素であり、以下の６つの属性を有する。ｘ及びｙ属性は、ページ左上を０とし、それぞれ右方向、下方向に増加する座標系におけるレイアウト要素を配置する座標値である。ｓｌｏｔＩＤ属性は、レイアウト要素を一意化する固有の識別子である。ｔｙｐｅ属性は、レイアウト要素に配置される文書素材の種別を表す。ｏｒｉｅｎｔａｔｉｏｎ属性は、ｔｙｐｅ属性がｐｈｏｔｏの場合に推奨される写真の配置方向を表す。ｃｒｏｐ属性は、レイアウト要素に写真を配置する場合の配置枠形状に合わせた切り出しの有無を表す。
【００１７】
また、枠情報の一例である＜ｓｌｏｔ＞要素は、文書テンプレート上に文書素材を配置する配置領域割り当て情報を記述し、＜ｂｇ＞要素と同じ６つの属性と、ｔｙｐｅ属性がｔｅｘｔの場合に設定されるｆｏｎｔ属性、ｓｉｚｅ属性、ｄｉｒｅｃｔｉｏｎ属性によって構成される。ｆｏｎｔ属性は、テキストのフォント種別を指定し、ｓｉｚｅ属性は、文字サイズをポイント数ｐｔで格納する。ｄｉｒｅｃｔｉｏｎ属性は、テキストの配置方向を指定する。なお、各要素における属性は省略も可能である。
【００１８】
次に図５の（ｂ）では、同一グループに属する文書テンプレートにおいてレイアウト要素間の対応を定義している。＜ｓｌｏｔＲｅｌａｔｉｏｎ＞要素は、レイアウト要素の対応関係を定義する要素であり、任意個の＜ｇｒｏｕｐ＞要素から構成される。＜ｇｒｏｕｐ＞要素は、ｉｄ属性としてグループ識別子情報を有し、任意個の＜ｓｌｏｔｓ＞要素から構成される。＜ｓｌｏｔｓ＞要素は、対応する複数個のレイアウト要素の枠情報の統合識別子をｕｎｉｆｉｅｄＩＤ属性として持ち、複数個の対応するレイアウト要素を指定する。例えば図５において、テンプレートグループ"ｇ００１"に属するテンプレートを構成しているレイアウト要素枠情報のうち"１２３０００"と"１５４０００"とは対応関係にあり、テンプレート定義におけるレイアウト意図として同等であることを意味している。
【００１９】
図６は、レイアウト学習データの一例を示す図である。
＜ｓｌｏｔＳｅｌｅｃｔｉｏｎ＞要素は、レイアウト学習データを定義する要素であり、任意個数の＜ｓｅｔ＞要素から構成される。＜ｓｅｔ＞要素は、個々のレイアウト学習データを表し、レイアウト学習対象の文書素材データの識別子を指定するｃｏｎｔｅｎｔＩＤと、レイアウト学習処理の実行された時刻を指定するｕｐｄａｔｅ属性と、を有する。＜ｓｅｔ＞要素におけるこれらの属性値は省略不可能である。
＜ｓｅｔ＞要素は、学習記憶させるテンプレート上の配置情報を指定する任意個数の＜ｓｌｏｔ＞要素から構成される。＜ｓｌｏｔ＞要素は、＜ｉｄ＞要素と、＜ｆｒｅｑ＞要素と、から構成される。＜ｉｄ＞要素は、学習記憶対象のテンプレート上の枠情報である図５における＜ｓｌｏｔ＞要素中のｓｌｏｔＩＤ値又はテンプレートグループ情報における統一枠情報識別子であるｕｎｉｆｉｅｄＩＤ値を記憶する。＜ｆｒｅｑ＞要素は、上位要素である＜ｓｅｔ＞要素のｃｏｎｔｅｎｔＩＤ属性によって示される文書素材が枠情報に適用されたか、或いは適用を変更されたかの頻度を記憶する頻度情報である。正数の値が大きいほど枠情報に適用されやすいことを意味し、負数の値が大きいほど枠情報に適用されにくいことを意味する。
情報処理装置は、ＸＭＬの整形式で格納されるレイアウト学習データをＸＭＬデータベースとして広く知られた格納部に格納することで、各要素や属性値を検索キーとして高速、かつ、容易に必要なデータのみを取り出すことが可能となる。
【００２０】
図７は、文書生成処理の一例を示すフローチャートである。
ステップＳ１０において、文書素材入力部１０１は、文書の構成素材となる画像や文字情報を入力する。文書素材の入力は文書素材データ格納部１０２に格納された素材データを指定することによって行われる。
次にステップＳ１１において、文書素材入力部１０１は、文書テンプレートの選択を行う。ステップＳ１１の処理の詳細は、後述する図８を用いて説明する。ステップＳ１１で文書テンプレートが選択されると、ステップＳ１２において、文書素材データと文書テンプレートとがレイアウト部１０４に送られ、レイアウト処理が行われる。レイアウト部１０４は、決定されたテンプレートの各枠情報と合致する文書素材データを当てはめてページレイアウトを決定する。ステップＳ１１で複数個のテンプレートが決定されたならば、ステップＳ１２でレイアウト部１０４は、複数のページレイアウトを行う。
【００２１】
次にステップＳ１３において、レイアウト部１０４は、ステップＳ１２で生成されたページレイアウトの結果に対し、ユーザ操作等に基づき、例えば図４に示したように写真枠の入れ替え等を行う。
ステップＳ１４において、レイアウト部１０４は、ステップＳ１３でレイアウト編集が行われたか否かを判定し、変更がない場合、ステップＳ１６へ、変更があった場合、ステップＳ１５へ処理を進める。
ステップＳ１５において、レイアウト学習部１０５は、変更結果を（コンテンツ（コンテンツのＩＤ）と、配置情報の一例である枠情報と、頻度情報と、を関連付けて）レイアウト学習データへ記憶する。ステップＳ１５の処理の詳細は、後述する図９を用いて説明する。ステップＳ１６において、レイアウト部１０４は、レイアウト結果を確定し、ページデータを生成して出力部１０６へ送り、文書生成処理を終了する。
【００２２】
図８は、文書テンプレート選択処理の一例を示すフローチャートである。
ステップＳ２０において、文書素材入力部１０１は、入力された全ての文書素材データを処理し終えたか否かを判定し、未処理の文書素材データがある場合、ステップＳ２１へ、未処理の文書素材データがない場合、ステップＳ２４へ処理を進める。
ステップＳ２１において、文書素材入力部１０１は、処理対象の文書素材データに関するレイアウト学習データが存在するか否かを判定する。文書素材入力部１０１は、文書素材データの識別子をキーにレイアウト学習データ格納部１０７を検索する。図６に説明されているレイアウト学習データの＜ｓｅｔ＞要素のｃｏｎｔｅｎｔＩＤ属性値と一致する文書素材データであった場合、文書素材入力部１０１は、ステップＳ２２へ、一致したデータがなければステップＳ２０へ処理を遷移させる。
【００２３】
ステップＳ２２において、文書素材入力部１０１は、＜ｓｅｔ＞要素の下位要素である＜ｓｌｏｔ＞要素データを取得する。文書素材入力部１０１は、取得した＜ｉｄ＞要素の値をキーに文書テンプレート格納部１０３から該当する枠情報を含む文書テンプレートの識別子ｔｅｍｐｌａｔｅＩＤを取得し、不図示のテンプレートスコア値に＜ｆｒｅｑ＞要素データの値を加算する。
ステップＳ２３において、文書素材入力部１０１は、＜ｉｄ＞要素値がテンプレートグループ識別子であった場合、＜ｓｌｏｔＲｅｌａｔｉｏｎ＞要素データの子要素である＜ｇｒｏｕｐ＞要素データのｉｄ属性と一致するデータを検索する。そして、文書素材入力部１０１は、＜ｓｌｏｔ＞要素に示される枠情報の識別子を取得した後、同様に、該当する枠情報を有するテンプレート識別子を取得し、同様にテンプレートスコア値の積算を行い、ステップＳ２２に処理を遷移させる。全ての文書素材データについて判定し終えたならばステップＳ２４において、文書素材入力部１０１は、テンプレートスコアの積算値が最大の文書テンプレートを適用テンプレートとして決定する。最大のテンプレートスコア値を持つテンプレートが複数個あった場合、文書素材入力部１０１は、複数個のテンプレートを候補として選択する（保持する）。
【００２４】
図９は、レイアウト学習処理の一例を示すフローチャートである。
ステップＳ３０において、レイアウト学習部１０５は、レイアウト編集前の枠情報に当てはめられた文書素材と編集後で変更された全ての文書素材とについて、編集前（変更前）の枠情報を負の値で記憶する（登録）。学習データとして記憶する際、レイアウト学習部１０５は、枠情報ＩＤをキーにテンプレート情報を検索し、対応するテンプレートグループにおける統一枠情報識別子があれば、それを学習データとして記憶する。
次にステップＳ３１において、レイアウト学習部１０５は、レイアウト編集前の枠情報に当てはめられた文書素材と編集後で変更された全ての文書素材とについて、編集後（変更後）の枠情報を正の値で記憶する（登録）。レイアウト学習部１０５は、ステップＳ３０と同様、統一枠情報識別子に該当すれば、それを学習データとして記憶する。
【００２５】
なお、本実施形態において、文書生成処理を行う単一のユーザによる操作を想定して説明を行ったが、異なる複数のユーザごとにレイアウトの学習を行うようにしてもよい。更に、異なる複数のユーザ間でレイアウト学習データを共有するようにしてもよい。また本実施形態において、レイアウト編集の結果、変更された場合のみ変更結果を学習データとして記憶するように説明を行ったが、変更がなかった場合であってもレイアウト結果に満足したものとしてレイアウト学習データへその旨等を記憶するようにしてもよい。
【００２６】
以上、本実施形態によれば、実際に使用されたレイアウトパターンを用いることにより、好ましい配置で素材データのレイアウト出力が可能となり、使用に比例して好適なレイアウトの自動生成が可能となる。つまり、本実施形態によれば、操作者が配置位置を指定することなく、好ましい配置でコンテンツのレイアウト出力を可能とすることができる。
【００２７】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００２８】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００２９】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００３０】
本発明を前記記憶媒体に適用する場合、その記憶媒体（コンピュータ読み取り可能な記憶媒体）には、先に説明したフローチャートに対応するプログラムコードが格納されることになる。
【００３１】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００３２】
【図１】情報処理装置（コンピュータ）のハードウェア構成の一例を示す図である。
【図２】情報処理装置の機能構成の一例を示す図である。
【図３】文書テンプレートの一例を示す図である。
【図４】レイアウト編集の一例を示す図である。
【図５】文書テンプレートの一例を示す図である。
【図６】レイアウト学習データの一例を示す図である。
【図７】文書生成処理の一例を示すフローチャートである。
【図８】文書テンプレート選択処理の一例を示すフローチャートである。
【図９】レイアウト学習処理の一例を示すフローチャートである。
【符号の説明】
【００３３】
１０１  文書素材入力部
１０４  レイアウト部
１０５  レイアウト学習部
１０６  出力部
【図１】
2010086315.tif 000003
【図２】
2010086315.tif 000004
【図３】
2010086315.tif 000005
【図４】
2010086315.tif 000006
【図５】
2010086315.tif 000007
【図６】
2010086315.tif 000008
【図７】
2010086315.tif 000009
【図８】
2010086315.tif 000010
【図９】
2010086315.tif 000011